(57)【要約】【課題】  地上波デジタル放送等の放送の受信中にユーザが着信音を聞き逃すことを防止すると共に、ユーザが放送の音声に邪魔されることなく通話することが可能な放送受信機能付携帯電話機を提供する。【解決手段】  地上波デジタル放送等の放送を受信する放送受信機能付携帯電話において、放送音声信号および着信音の信号の何れか一方を選択的にスピーカ６に出力する第１のスイッチ１６と、放送音声信号、着信音の信号、および通話音声信号の何れか１つを選択的にヘッドセットジャック７に出力する第２のスイッチ１７とを設け、放送受信中の着信時および通話時に、制御部８により第１のスイッチ１６および第２のスイッチ１７を制御することで、放送音声信号に代えて着信音または通話音声の信号をヘッドセットジャック７またはスピーカ６に出力させる。【選択図】図１ 
2005079922.tif 000002
【特許請求の範囲】
【請求項１】
放送信号を受信する放送受信手段と、
受信された放送信号から取り出された放送音声信号を出力すると共に、着信時には着信音の信号を出力し、通話時には通話音声信号を出力するための音声出力手段とを備える携帯電話機において、
上記音声出力手段が、
携帯電話通信の状況に応じて放送音声信号を制御することを特徴とする携帯電話機。
【請求項２】
上記音声出力手段は、通話時に、放送音声信号の出力を停止させるものである請求項１記載の携帯電話機。
【請求項３】
上記音声出力手段は、着信時に、放送音声信号の出力を停止させるものである請求項１１または２に記載の携帯電話機。
【請求項４】
上記音声出力手段は、
通話時に通話音声信号と放送音声信号とを混合して出力する第１の混合手段と、
通話時に、他の時よりも放送音声信号の音量が小さくなるように放送音声信号の音量を制御する第１の音量制御手段とを備える請求項１記載の携帯電話機。
【請求項５】
上記音声出力手段は、
着信時に着信音の信号と放送音声信号とを混合して出力する第２の混合手段と、
着信時に、他の時よりも放送音声信号の音量が小さくなるように放送音声信号の音量を制御する第２の音量制御手段とを備える請求項１または４に記載の携帯電話機。
【請求項６】
複数の電話番号を含む電話帳データを記憶する記憶手段と、
電話番号に対する音声出力手段の制御を設定し、その設定情報を記憶手段に記憶させるための設定手段とをさらに備え、
上記音声出力手段が、着信時および通話時に、発信先または通話相手の電話番号を記憶手段に記憶された設定情報と照合し、その発信先または通話相手の電話番号に関する設定情報に応じて放送音声信号を制御するものであることを特徴とする請求項１記載の携帯電話機。
【発明の詳細な説明】
【技術分野】
【０００１】
本発明は、地上波デジタル放送等の放送を受信する放送受信機能付き携帯電話機に関するものであり、特に放送受信時の放送の音声信号を制御する技術に関するものである。
【背景技術】
【０００２】
現在、放送のデジタル化が進んでいる。地上波放送においても、地上波デジタルテレビジョン放送や地上波デジタル音声放送等のような地上波デジタル放送のサービスが予定されている。日本では２００３年中に一部の地域で地上波デジタルテレビジョン放送の開始が予定されている（英国では１９９８年に放送が開始されている）。
【０００３】
これら地上波デジタル放送では、現行の地上波テレビジョン放送（地上波アナログテレビジョン放送）の帯域の一部を使用した携帯端末等向けの放送サービスが検討されている。
【０００４】
この携帯端末向けサービスの受信機には、特許文献１に記載されている受信システムのような地上波デジタル放送受信機と携帯電話が一体になったような端末が想定されている。
【０００５】
なお、テレビ放送（地上波アナログテレビジョン放送）の画像信号や音声信号を受信する機能を備えた情報端末装置において、電子メールの存在を告知するメッセージをテレビ放送の画像信号に合成する情報端末装置が知られている（特許文献２）。
【特許文献１】特開２００３−１０１８１２号公報（２００３年４月４日公開）
【特許文献２】特開平９−１４９１４８号公報（１９９７年６月６日公開）
【発明の開示】
【発明が解決しようとする課題】
【０００６】
一般に、携帯電話の着信告知の手法には、着信音をスピーカで鳴らす、バイブレータを振動させる、ＬＥＤ(Light Emitting Diode)等のインジケータを光らせる、画面に着信中の表示を行う、着信中の表示に加え相手先の電話番号や電話帳に記載された名称を表示するなどがある。
【０００７】
しかしながら、地上波デジタル放送受信機能付き携帯電話において、上述したような一般的な着信告知の手法をそのまま使用した場合、着信時や通話時に問題が生じる。すなわち、着信音をスピーカで鳴らす構成では、地上波デジタル放送の視聴において多いと想定される地上波デジタル放送の音声をイヤホンで聴くケースにおいて、着信音が聞こえ難く、重要な電話の着信音を聴き逃す可能性がある。また、地上波デジタル放送の音声をスピーカまたは片耳用のイヤホンで聴いている最中にハンドセットで通話した場合、地上波デジタル放送の音声が携帯電話の通話の邪魔になる可能性がある。
【０００８】
なお、特許文献２には、メッセージの表示による着信告知に関する技術であり、着信音や電話の通話音声、放送音声に関する技術は何ら開示されていない。
【０００９】
本発明は、上記の課題に鑑みなされたものであり、その目的は、地上波デジタル放送等の放送の受信中にユーザが着信音を聞き逃すことを防止すると共に、ユーザが放送の音声に邪魔されることなく通話することが可能な放送受信機能付携帯電話機を提供するものである。
【課題を解決するための手段】
【００１０】
本発明に係る携帯電話機は、上記課題を解決するために、放送信号を受信する放送受信手段と、受信された放送信号から取り出された放送音声信号を出力すると共に、着信時には着信音の信号を出力し、通話時には通話音声信号を出力するための音声出力手段とを備える携帯電話機において、上記音声出力手段が、携帯電話通信の状況（着信の有無および通話の有無等）に応じて放送音声信号を制御することを特徴としている。
【００１１】
なお、本願明細書において、放送とは、地上波デジタル放送、地上波アナログテレビジョン放送、地上波（アナログ）ラジオ放送、ＢＳ（放送衛星）アナログテレビジョン放送、ＢＳデジタルテレビジョン放送等を含む。また、本願明細書において、地上波デジタル放送とは、少なくとも音声信号を含むデジタル信号を地上波で複数の相手先に送信する通信を指すものとする。地上波デジタル放送としては、現在、日本でサービス開始が予定されている地上波デジタルテレビジョン放送（デジタル映像信号とデジタル音声信号との両方を地上波で一般公衆に送信する通信）や地上波デジタル音声放送（デジタル音声信号を地上波で一般公衆に送信する通信）などが挙げられる。
【００１２】
本発明に係る携帯電話機の好ましい一形態は、上記音声出力手段が、通話時に、放送音声信号の出力を停止させるものである。
【００１３】
本発明に係る携帯電話機の好ましい一形態は、上記音声出力手段が、着信時に、放送音声信号の出力を停止させるものである。なお、本願明細書において、「着信」とは、電話の着信とメールの着信とを含むものとする。
【００１４】
本発明に係る携帯電話機の好ましい一形態は、上記音声出力手段が、通話時に通話音声信号と放送音声信号とを混合して出力する第１の混合手段と、通話時に、他の時よりも放送音声信号の音量が小さくなるように放送音声信号の音量を制御する第１の音量制御手段とを備える構成である。
【００１５】
また、本発明に係る携帯電話機の好ましい一形態は、上記音声出力手段が、着信時に着信音の信号と放送音声信号とを混合して出力する第２の混合手段と、着信時に、他の時よりも放送音声信号の音量が小さくなるように放送音声信号の音量を制御する第２の音量制御手段とを備える構成である。
【００１６】
本発明に係る携帯電話機の好ましい一形態は、複数の電話番号を含む電話帳データを記憶する記憶手段（メモリ等）と、電話番号に対する音声出力手段の制御を設定し、その設定情報を記憶手段に記憶させるための設定手段とをさらに備え、上記音声出力手段が、着信時および通話時に、発信先または通話相手の電話番号を記憶手段に記憶された設定情報と照合し、その発信先または通話相手の電話番号に関する設定情報に応じて放送音声信号を制御するものである。
【００１７】
本発明に係る携帯電話機の好ましい一形態は、音声出力手段の出力信号を外部のイヤホンに出力するためのイヤホンジャックをさらに備える構成である。
【００１８】
なお、本願の請求項における「イヤホン」には、音声出力専用のイヤホン（狭義のイヤホン）だけでなく、ヘッドセット（イヤホンとマイクとを一体化したもの）も含まれるものとする。
【００１９】
本発明に係る携帯電話機の好ましい一形態は、音声出力手段の出力信号を音声として再生するためのスピーカをさらに備える構成である。
【発明の効果】
【００２０】
本発明に係る携帯電話機は、以上のように、音声出力手段が、携帯電話通信の状況（着信の有無および通話の有無等）に応じて放送音声信号を制御する音量制御手段を含むので、着信時に放送音声信号の音量を小さくしたりゼロにして、放送の受信中にユーザが着信音を聞き逃すことを防止することが可能になる。また、通話時に放送音声信号の音量を小さくしたりゼロにすることで、ユーザが放送の受信中に放送の音声に邪魔されることなく通話することが可能になる。それゆえ、本発明は、放送の受信中にユーザが着信音を聞き逃すことを防止すると共に、ユーザが放送の音声に邪魔されることなく通話することが可能な放送受信機能付携帯電話機を提供できるという効果を奏する。
【００２１】
本発明に係る携帯電話機の好ましい一形態は、上記音声出力手段が、通話時に、放送音声信号の出力を停止させるものである。それゆえ、上記形態は、放送の受信中にユーザが放送の音声に全く邪魔されることなく通話することが可能な放送受信機能付携帯電話機を提供できるという効果を奏する。
【００２２】
本発明に係る携帯電話機の好ましい一形態は、上記音声出力手段が、着信時に、放送音声信号の出力を停止させるものである。それゆえ、上記形態は、放送の受信中にユーザが着信音を聞き逃すことを確実に防止することが可能な放送受信機能付携帯電話機を提供できるという効果を奏する。
【００２３】
本発明に係る携帯電話機の好ましい一形態は、上記音声出力手段が、通話時に通話音声信号と放送音声信号とを混合して出力する第１の混合手段と、通話時に、他の時よりも放送音声信号の音量が小さくなるように放送音声信号の音量を制御する第１の音量制御手段とを備える構成である。それゆえ、上記形態は、放送の受信中にユーザが放送の音声に邪魔されることなく通話することが可能な放送受信機能付携帯電話機を提供できるという効果を奏する。さらに、上記形態は、通話時にも放送の音声が途切れないので、放送を聴取しながら通話することが可能になるという効果を奏する。
【００２４】
また、本発明に係る携帯電話機の好ましい一形態は、上記音声出力手段が、着信時に着信音の信号と放送音声信号とを混合して出力する第２の混合手段と、着信時に、他の時よりも放送音声信号の音量が小さくなるように放送音声信号の音量を制御する第２の音量制御手段とを備える構成である。それゆえ、上記形態は、放送の受信中にユーザが着信音を聞き逃すことを防止することが可能な放送受信機能付携帯電話機を提供できるという効果を奏する。さらに、上記形態は、着信時にも放送の音声が途切れないので、放送を聴取しながら着信音を聞くことが可能になるという効果を奏する。
【００２５】
また、本発明に係る携帯電話機の好ましい一形態は、複数の電話番号を含む電話帳データを記憶する記憶手段と、電話番号に対する音声出力手段の制御を設定し、その設定情報を記憶手段に記憶させるための設定手段とをさらに備え、上記音声出力手段が、着信時および通話時に、発信先または通話相手の電話番号を記憶手段に記憶された設定情報と照合し、その発信先または通話相手の電話番号に関する設定情報に応じて放送音声信号を制御するものである。それゆえ、上記形態は、着信や通話の相手先の重要度に応じて、放送音声信号を制御することが可能になるという効果を奏する。
【発明を実施するための最良の形態】
【００２６】
〔実施の形態１〕
以下、図面を用いて本発明の一実施形態について説明する。図１は、本発明による地上波デジタル放送受信機能付き携帯電話機の実施の一形態の構成を示す。
【００２７】
本実施形態の携帯電話機は、図１に示すように、携帯電話通信を行うための携帯電話通信部３１、地上波デジタル放送を受信するための地上波デジタル放送受信部（放送受信手段）３２、および携帯電話通信および地上波デジタル放送の受信に共用される共用部３３を備えている。
【００２８】
携帯電話通信部３１は、アンテナ１、ＲＦ（Radio Frequency；無線周波数）部２、変復調部３、信号処理部４、ＣＯＤＥＣ（COder-DECoder；コーダ・デコーダ）部２０、リンガー５、およびハンドセット２１（通話用のスピーカとマイクの対）を備えている。地上波デジタル放送受信部３２は、アンテナ１０、ＲＦ部１２、復調部１３、信号処理部１４、音声復号部１５を備えている。共用部３３は、制御部８、メモリ（記憶手段）２７、ＬＣＤ（Liquid Crystal Display；液晶ディスプレイ）表示部９、第１のスイッチ１６、第２のスイッチ１７、スピーカ６、外部のヘッドセット（図示しない）を接続してそのヘッドセットに対して音声信号の入出力を行うためのヘッドセットジャック（イヤホンジャック）７、および、携帯電話通信や地上波デジタル放送受信のための各種操作をユーザが行うための操作部（設定手段）２２を備えている。本実施形態では、音声出力手段は、リンガー５、制御部８、音声復号部１５、第１のスイッチ１６、第２のスイッチ１７、およびＣＯＤＥＣ部２０によって構成されている。なお、電池等は図示していない。
【００２９】
アンテナ１は、筐体に取り付けられた外部アンテナと内蔵アンテナとを含み、携帯電話通信の公衆基地局とのＲＦ信号の送受信に使用される。ＲＦ部２は、アンテナ１に接続され、変復調部３からの送信信号のＲＦ信号へのアップコンバージョン、アンテナ１で受信された受信信号（ＲＦ信号）のダウンコンバージョンを行う。変復調部３は、信号処理部４からの送信信号の変調、及びＲＦ部２でダウンコンバートされた受信信号の復調を行う。信号処理部４は、変復調部３で復調された受信信号より通話データ（受信音声信号）を抜き出し、ＣＯＤＥＣ部２０に出力する。また、信号処理部４は、ＣＯＤＥＣ部２０からの送信側音声データ（送信音声信号）を送信信号のフォーマットに構成して変復調部３に出力する。さらに、信号処理部４は、通話の確立のための制御データや、メールのデータ、インターネット接続のデータを、制御部８とやり取りする。ＣＯＤＥＣ部２０では、送受信データと音声信号との間の変換を行い、ハンドセット２１またはヘッドセットジャック７に音声信号を出力する。また、ＣＯＤＥＣ部２０には、ハンドセット２１またはヘッドセットジャック７から音声信号が入力される。リンガー５は、電話の着信時またはメールの着信時に、着信音の信号（着信告知の信号）を発生させてスピーカ６またはヘッドセットジャック７に出力するものであり、これにより、着信音の信号が、スピーカ６またはヘッドセットジャック７から着信音として出力される。ここでは、リンガー５を用いた構成を図示しているが、リンガー５に代えて、着信告知用メロディの信号を出力させるメロディＩＣ（Integrated Circuit；集積回路）を使用し、着信音として音楽（着信告知用メロディ）をスピーカ６またはヘッドセットジャック７から出力させてもよい。なお、電話の着信時とは電話の着呼があった時であり、メールの着信とはメールのデータを受信した時である。また、電話の着信時およびメールの着信時の一方また両方において、着信音を鳴らさずに、バイブレータを振動させる、ＬＥＤ(Light Emitting Diode)等のインジケータを光らせる、画面に着信中の表示を行う等、他の方法で着信告知を行ってもよい。
【００３０】
アンテナ１０は、地上波デジタル放送の放送局（図示せず）から送信される地上波デジタル放送の放送波を受信するものである。ここでは、携帯電話通信用のアンテナ１と地上波デジタル放送受信用のアンテナ１０を別々のものとして図示したが、１本のアンテナを携帯電話通信と地上波デジタル放送受信とに共用してもよい。ＲＦ部１２は、アンテナ１０が受信した地上波デジタル放送波をダウンコンバートするものである。また、ＲＦ部１２は、ユーザが指定したチャンネルの放送波を選別する機能も有している。復調部１３は、ＲＦ部１２の出力した地上波デジタル放送波を復調し、デジタルデータとして出力する。信号処理部１４は、このデジタルデータより画像データ、音声データ、及びデータ放送用データを取り出す（取り出されるデータは地上波デジタル放送の種類に依存する）。音声復号部１５は、音声データをデジタル−アナログ変換して（アナログの）音声信号（放送音声信号）に変換し、スピーカ６またはヘッドセットジャック７に出力する。
【００３１】
地上波デジタル放送波から取り出された画像データは、ＬＣＤ表示部９に送られ画像として表示される。このＬＣＤ表示部９は、携帯電話通信部３１でも使用され各種の表示を行う。
【００３２】
制御部８は、携帯電話通信部３１及び地上波デジタル放送受信部３２の各ブロックの制御と、共用部３３の第１のスイッチ１６及び第２のスイッチ１７の制御とを行う。
【００３３】
メモリ２７は、フラッシュメモリやＲＡＭ(Random Access Memory)で構成され、制御部８が実行するプログラムや処理するデータや、ユーザの電話帳等を記憶している。操作部２２は、電話番号や文字を入力するためのテンキー及び十字キー、通話を開始するための通話ボタン、通話を終了するための通話終了ボタン等を含んでいる。
【００３４】
リンガー５の出力および音声復号部１５の出力は、図１に示すように、第１のスイッチ１６を介してスピーカ６に接続されている。第１のスイッチ１６は制御部８によって制御され、リンガー５の出力および音声復号部１５の出力のいずれかをスピーカ６に接続するか、あるいはリンガー５の出力にも音声復号部１５の出力にもスピーカ６を接続しないようになっている。
【００３５】
リンガー５の出力、音声復号部１５の出力、およびＣＯＤＥＣ部２０の出力は、図１に示すように、第２のスイッチ１７を介してヘッドセットジャック７に接続されている。第２のスイッチ１７は、制御部８によって制御され、リンガー５の出力、音声復号部１５の出力、およびＣＯＤＥＣ部２０の出力のいずれか１つを選択的にヘッドセットジャック７に接続するようになっている。
【００３６】
地上波デジタル放送をヘッドセットで視聴する場合、ユーザは、ヘッドセットジャック７にヘッドセットを接続する。すると、スピーカ６による音声の出力が停止される。
【００３７】
着信時および通話時以外は、第２のスイッチ１７は、音声復号部１５を選択的にヘッドセットジャック７に接続するよう、制御部８によって制御される。これにより、音声復号部１５からの地上波デジタル放送音声信号がヘッドセットジャック７を介してヘッドセットに出力され、ヘッドセットより地上波デジタル放送音声が出力される。
【００３８】
地上波デジタル放送を受信している状態で着信があると、第２のスイッチ１７は、リンガー５を選択的にヘッドセットジャック７に接続するよう、制御部８によって制御される。これにより、リンガー５からの着信音の信号がヘッドセットジャック７を介してヘッドセットに出力され、ヘッドセットより着信音が出力される。
【００３９】
すなわち、制御部８は、着信時に、音声復号部１５からヘッドセットジャック７への地上波デジタル放送音声信号の出力を停止させることによって、ヘッドセットから出力される地上波デジタル放送音声を消音し、ヘッドセットから着信音のみを出力させる。
【００４０】
着信中に、操作部２２の通話ボタン等を操作する等のようなユーザ操作が行われることにより、通話が開始される。また、操作部２２のテンキーを操作する等のようなユーザ操作が行われることにより、ユーザからの発信による通話が開始される。通話が開始されると、制御部８は、第２のスイッチ１７を、ＣＯＤＥＣ２０部を選択的にヘッドセットジャック７に接続するように切り替える。これにより、ユーザはヘッドセットを用いて通話を行うことができる。操作部２２の通話終了ボタン等を操作する等のようなユーザ操作が行われることにより通話が終了すると、制御部８は、音声復号部１５を選択的にヘッドセットジャック７に接続するよう第２のスイッチ１７を制御する。これにより、地上波デジタル放送音声が再度ヘッドセットから出力される。
【００４１】
また、ユーザがヘッドセットジャック７ではなくスピーカ６を使用して地上波デジタル放送を視聴する場合、着信時および通話時以外は、第１のスイッチ１６は、音声復号部１５を選択的にスピーカ６に接続するよう制御部８により制御される。これにより、音声復号部１５からの地上波デジタル放送音声信号がスピーカ６に出力され、スピーカ６にて地上波デジタル放送音声が出力される。
【００４２】
地上波デジタル放送を受信している状態で着信があると、制御部８は、リンガー５を選択的にスピーカ６に接続するよう第１のスイッチ１６を制御する。これにより、リンガー５からの着信音の信号がスピーカ６に出力され、スピーカ６にて着信音が出力される。すなわち、制御部８は、着信時に、音声復号部１５からスピーカ６への地上波デジタル放送音声信号の出力を停止させることによって、スピーカ６から出力される地上波デジタル放送音声を消音し、スピーカ６から着信音のみを出力させる。
【００４３】
着信中に、操作部２２の通話ボタン等を操作する等のようなユーザ操作が行われることにより、通話が開始される。また、操作部２２のテンキーを操作する等のようなユーザ操作が行われることにより、ユーザからの発信による通話が開始される。通話が開始されると、第１のスイッチ１６は、リンガー５および音声復号部１５をスピーカ６に接続しないように、制御部８によって制御される。ここで、ＣＯＤＥＣ部２０はハンドセット２１に接続されているので、通話音声がハンドセット２１に出力される。操作部２２の通話終了ボタン等を操作する等のようなユーザ操作が行われることにより通話が終了すると、制御部８の制御により、第１のスイッチ１が、音声復号部１５を選択的にスピーカ６に接続する。これにより、地上波デジタル放送音声が再度スピーカ６から出力される。
【００４４】
以上説明したように、本実施形態の携帯電話機は、ユーザがヘッドセットまたはスピーカ６を使用して地上波デジタル放送を視聴している状態（地上波デジタル放送を受信している状態）でも、地上波デジタル放送音声の出力を停止し、ヘッドセットまたはスピーカ６に着信音を出す。それゆえ、ユーザが着信を取りこぼすことがなく、また、ユーザがそのまま（地上波デジタル放送を受信したまま）通話することができるといった利便性がある。
【００４５】
以上のように、本実施形態の携帯電話は、地上波デジタル放送信号を受信する地上波デジタル放送受信部３２と、受信された地上波デジタル放送信号から取り出されたデジタル放送音声信号を出力する音声復号部１５と、着信時に着信音の信号を出力するリンガー５と、通話時には通話音声信号を出力するＣＯＤＥＣ部２０とを備える携帯電話機であって、デジタル放送音声信号および着信音の信号の何れか一方を選択的にスピーカ６に出力する第１のスイッチ１６と、デジタル放送音声信号、着信音の信号、および通話音声信号の何れか１つを選択的にヘッドセットジャック７に出力する第２のスイッチ１７と、着信時および通話時にデジタル放送音声信号の出力を停止させるように第１のスイッチ１６および第２のスイッチ１７を制御する制御部８とをさらに備える構成である。
【００４６】
上記構成によれば、地上波デジタル放送の受信中にユーザが着信音を聞き逃すことを確実に防止すると共に、ユーザが地上波デジタル放送の音声に全く邪魔されることなく通話することができる。
【００４７】
また、以上のように、本実施形態の携帯電話機は、地上波デジタル放送受信機能付携帯電話において、通話、デジタル放送受信音声、着信音を第２のスイッチ１７により切り替えて出力するヘッドセットジャック７を備え、状況に応じて第２のスイッチ１７の切り替えを制御する構成である。
【００４８】
これにより、デジタル放送受信中であっても、着信時には、デジタル放送受信音声を出力することなく着信音をヘッドセットジャック７を通して外部のヘッドセットに出力することができる。したがって、地上波デジタル放送視聴中（地上波デジタル放送受信中）に、着信音を聞き逃すことがない。
【００４９】
また、デジタル放送受信中であっても、通話時には、デジタル放送受信音声を出力することなく通話音声をヘッドセットジャック７を通して外部のヘッドセットに出力することができる。したがって、地上波デジタル放送視聴中（地上波デジタル放送受信中）に、地上波デジタル放送の音声に邪魔されることなく、通話することができる。すなわち、ユーザが地上波デジタル放送の受信を停止するなどのような手間をかけることなく通話に移行できるので、通話に移行しやすい。
【００５０】
また、以上のように、本実施形態の携帯電話機は、地上波デジタル放送受信機能付携帯電話において、通話、デジタル放送受信音声、着信音を第１のスイッチ１６により切り替えて出力するスピーカ６を備え、状況に応じて第１のスイッチ１６の切り替えを制御する構成である。
【００５１】
これにより、デジタル放送受信中であっても、着信時には、デジタル放送受信音声を出力することなく着信音をスピーカ６に出力することができる。したがって、地上波デジタル放送視聴中（地上波デジタル放送受信中）に、着信音を聞き逃すことがない。
【００５２】
また、デジタル放送受信中であっても、通話時には、デジタル放送受信音声を出力することない。したがって、地上波デジタル放送視聴中（地上波デジタル放送受信中）に、地上波デジタル放送の音声に邪魔されることなく、ハンドセットなどを用いて通話することができる。すなわち、ユーザが地上波デジタル放送の受信を停止するなどのような手間をかけることなく通話に移行できるので、通話に移行しやすい。
【００５３】
なお、上記説明では、着信時および通話時にデジタル放送受信音声の出力を停止させる処理を行っていたが、通話時のみ、デジタル放送受信音声の出力を停止させる処理を行ってもよい。この場合、地上波デジタル放送視聴中（地上波デジタル放送受信中）に、地上波デジタル放送の音声に邪魔されることなく、ハンドセットなどを用いて通話することができる。また、着信時のみ、デジタル放送受信音声の出力を停止させる処理を行ってもよい。この場合、地上波デジタル放送視聴中（地上波デジタル放送受信中）に、着信音を聞き逃すことがなくなる。それゆえ、特に、地上波デジタル放送視聴中（地上波デジタル放送受信中）におけるメール着信の確認が容易となる。
【００５４】
また、上記説明では、着信時および通話時にデジタル放送受信音声の出力を停止させる処理を行っていたが、常にこのような処理を行うのではなく、携帯電話の相手先（発信先）によって別の処理を行うようにしてもよい。
【００５５】
携帯電話の相手先（発信先）によって別の処理を行う形態について、以下に説明する。この場合、図１において、メモリ２７には、ユーザの電話帳データが記憶されており、電話帳データとして、複数の電話番号と、各電話番号毎に対応付けられた名称および着信時および通話時の処理が記憶されている。この着信時および通話時の処理として、各電話番号に対する第１のスイッチ１６および第２のスイッチ１７の制御の内容（設定情報）がメモリ２７に記憶されている。各電話番号に対する第１のスイッチ１６および第２のスイッチ１７の制御の内容（設定情報）は、操作部（設定手段）２２のテンキーや十字キー等を用いて予めユーザにより設定されることにより、メモリ２７に記憶されている。
【００５６】
スピーカ６に対する着信時および通話時の処理（第１のスイッチ１６の制御の内容）としては、（Ａ）着信時には着信音の信号のみをスピーカ６に出力し、通話時には通話音声の信号をスピーカ６に出力せずハンドセット２１に出力する処理（ユーザが通話をハンドセット２１で行うことができる処理）、（Ｂ）着信時には着信音を出力せずに地上波デジタル放送音声信号のみをスピーカ６に出力し、通話時には通話音声の信号をスピーカ６に出力せずハンドセット２１に出力する処理などが挙げられる。スピーカ６に対して出力する地上波デジタル放送音声信号の制御としては、（Ａ）着信時および通話時に地上波デジタル放送音声信号の出力を停止する処理と、（Ｂ）着信時に地上波デジタル放送音声信号の音量を着信前と同じ音量のままにし、通話時に地上波デジタル放送音声信号の出力を停止する処理とが挙げられる。したがって、例えば、ユーザは、操作部（設定手段）２２のテンキーや十字キー等を用いて、各電話番号毎に重要度に応じて上記２種類の処理のいずれかを予め選択しておく。
【００５７】
ヘッドセットジャック７に対する着信時および通話時の処理（第２のスイッチ１７の制御の内容）としては、（１）着信時には着信音の信号のみをヘッドセットジャック７に出力し、通話時には通話音声の信号のみをヘッドセットジャック７に出力する処理、（２）着信時には着信音の信号のみをヘッドセットジャック７に出力し、通話時には通話音声の信号をヘッドセットジャック７に出力せずハンドセット２１に出力する処理（ユーザが通話をハンドセット２１で行うことができる処理）、（３）着信時には着信音を出力せず（着信告知を行わず）に地上波デジタル放送音声信号のみをヘッドセットジャック７に出力し、通話時には通話音声の信号のみをヘッドセットジャック７に出力する処理、（４）着信時には着信音を出力せずに地上波デジタル放送音声信号のみをヘッドセットジャック７に出力し、通話時には通話音声の信号をヘッドセットジャック７に出力せずハンドセット２１に出力する処理などが挙げられる。ヘッドセットジャック７に対して出力する地上波デジタル放送音声信号の制御としては、（１）（２）着信時および通話時に地上波デジタル放送音声信号の出力を停止する処理と、（３）（４）着信時に地上波デジタル放送音声信号の音量を着信前と同じ音量のままにし、通話時に地上波デジタル放送音声信号の出力を停止する処理とが挙げられる。したがって、例えば、ユーザは、操作部（設定手段）２２のテンキーや十字キー等を用いて、各電話番号毎に重要度に応じて上記４種類の処理のいずれかを予め選択しておく。
【００５８】
なお、ここでは、電話帳データ内の各電話番号に対して着信時および通話時の処理が設定されているものとしたが、一部の電話番号に対してのみ着信時および通話時の処理が設定されており、着信時および通話時の処理が設定されていない電話番号に対しては標準的な着信時および通話時の処理を行うようにしてもよい。
【００５９】
着信時には携帯電話通信の基地局側から発信者番号（発信先の電話番号）が通知されるので、この発信者番号を制御部８にてメモリ２７内の電話帳データと照合し、着信時の処理（設定情報）を探す。メモリ２７内の電話帳データから、その発信者番号に対応する着信時の処理が見つけ出されると、その発信者番号に対応する着信時の処理を行う。例えば、発信者番号に対応する着信時の処理として、前記（Ａ）（１）の処理が見つかった場合、ヘッドセットジャック７にヘッドセットが接続されていれば、制御部８が（１）の処理を実行する。すなわち、制御部８が、着信音の信号のみをヘッドセットジャック７に出力し、地上波デジタル放送音声信号の出力を停止するように第２のスイッチ１７を制御する。その場合において、ヘッドセットジャック７にヘッドセットが接続されていなければ、制御部８が（Ａ）の処理を実行する。すなわち、制御部８が、着信音の信号のみをスピーカ６に出力し、地上波デジタル放送音声信号の出力を停止するように第１のスイッチ１６を制御する。
【００６０】
また、通話時には通話相手の電話番号を制御部８にてメモリ２７内の電話帳データと照合し、通話時の処理（設定情報）を探す。メモリ２７内の電話帳データから、その電話番号に対応する通話時の処理が見つけ出されると、その電話番号に対応する通話時の処理を行う。例えば、電話番号に対応する通話時の処理として、前記（Ａ）（１）の処理が見つかった場合、ヘッドセットジャック７にヘッドセットが接続されていれば、制御部８が（１）の処理を実行する。すなわち、制御部８が、通話音声の信号のみをヘッドセットジャック７に出力し、地上波デジタル放送音声信号の出力を停止するように第２のスイッチ１７を制御する。その場合において、ヘッドセットジャック７にヘッドセットが接続されていなければ、制御部８が（Ａ）の処理を実行する。すなわち、制御部８が、通話音声の信号のみをスピーカ６に出力し、地上波デジタル放送音声信号の出力を停止するように第１のスイッチ１６を制御する。
【００６１】
このようにして、制御部８が、メモリ２７に記憶された着信時の処理（第１のスイッチ１６および第２のスイッチ１７の制御の内容）に従って第１のスイッチ１６および第２のスイッチ１７の動作を選択する。例えば、相手に応じて地上波デジタル放送用音声と着信音のみをヘッドセットジャック７／スピーカ６から出力し、通話はハンドセット２１で行うといった制御や、まったく着信告知を行わないといった制御を行う。これにより、着信や通話の相手先の重要度に応じて、携帯電話機の制御を切り替えることが可能となる。すなわち、例えば、重要でない相手先の場合には、全く着信告知を受けず、地上波デジタル放送の音声のみを聴取し、重要な相手先の場合には、地上波デジタル放送の音声を聴取せずに、着信告知を受けて通話するといった使い分けが可能である。
【００６２】
以上のように、前記携帯電話機において、メモリ２７に電話帳を備え、発信者番号を電話帳データに記述したデータと参照し、第１のスイッチ１６及び第２のスイッチ１７の制御を変えることにより、着信や通話の相手先の重要度に応じて、携帯電話機の制御を切り替えることが可能となる。
【００６３】
〔実施の形態２〕
本発明の第２の実施の形態における地上波デジタル放送受信機能付き携帯電話機について、図２に基づいて以下に説明する。図２は、本発明の第２の実施の形態における地上波デジタル放送受信機能付き携帯電話機の構成を示す。
【００６４】
本実施の形態における地上波デジタル放送受信機能付き携帯電話機は、第１の実施の形態の携帯電話機における第１のスイッチ１６を第１の混合回路（第１、第２の混合手段）１８に変更すると共に第２のスイッチ１７を第２の混合回路（第１、第２の混合手段）１９に変更し、制御部８が、通話時に他の時よりも放送音声信号の音量が小さくなるように放送音声信号の音量を制御する第１の音量制御手段、および着信時に他の時よりも放送音声信号の音量が小さくなるように放送音声信号の音量を制御する第２の音量制御手段として機能するようにした点以外は、第１の実施の形態の携帯電話機と同様の構成を備えている。なお、説明の便宜上、本実施の形態の携帯電話機における第１の実施の形態にて説明した各部材と同様の動作を行う部材については同一の番号を付し、その説明を省略する。
【００６５】
本実施形態では、音声出力手段は、リンガー５、制御部８、音声復号部１５、第１の混合回路１８、第２の混合回路１９、およびＣＯＤＥＣ部２０によって構成されている。
【００６６】
リンガー５の出力、音声復号部１５の出力、およびＣＯＤＥＣ部２０の出力は、図２に示すように、第２の混合回路１９を介してヘッドセットジャック７に接続されている。第２の混合回路１９は、通話時に通話音声信号と放送音声信号とを混合して出力する第１の混合手段として機能すると共に、着信時に着信音の信号と放送音声信号とを混合して出力する第２の混合手段として機能する。第２の混合回路１９は、リンガー５の出力信号、音声復号部１５の出力信号、およびＣＯＤＥＣ部２０の出力信号を混合してヘッドセットジャック７に出力するようになっており、その混合比（音量比）が制御部（第１、第２の音量制御手段）８によって制御されることで、地上波デジタル放送の音声信号の音量が制御されるようになっている。
【００６７】
リンガー５の出力および音声復号部１５の出力は、図２に示すように、第１の混合回路１８を介してスピーカ６に接続されている。第１の混合回路１８は、着信時に着信音の信号と放送音声信号とを混合して出力する第２の混合手段として機能する。第１の混合回路１８は、リンガー５の出力信号および音声復号部１５の出力信号を混合してスピーカ６に出力するようになっており、その混合比（音量比）が制御部（第１、第２の音量制御手段）８によって制御されることで、地上波デジタル放送の音声信号の音量が制御されるようになっている。
【００６８】
地上波デジタル放送をヘッドセットで視聴する場合、ヘッドセットジャック７にヘッドセットを接続する。すると、スピーカ６による音声の出力が停止される。
【００６９】
着信時および通話時以外は、第２の混合回路１９は音声復号部１５の出力信号をヘッドセットジャック７に出力するよう制御される。これにより、音声復号部１５からの地上波デジタル放送音声信号がヘッドセットジャック７を介してヘッドセットに出力され、ヘッドセットより地上波デジタル放送音声が出力される。
【００７０】
地上波デジタル放送を受信している状態で着信があると、制御部８は、音声復号部１５の出力信号（放送音声信号）を着信時および通話時以外の時よりも音量を小さくした上で、リンガー５の出力信号（着信音の信号）と混合してヘッドセットジャック７に出力するように第２の混合回路１９を制御する。これにより、着信音は、小音量の地上波デジタル放送の音声と混合されてヘッドセットジャック７を介してヘッドセットより出力される。したがって、ユーザは、ヘッドセットを用いて地上波デジタル放送の音声を小音量で聴きながら着信音を聞くことができる。
【００７１】
着信中に、操作部２２の通話ボタン等を操作する等のようなユーザ操作が行われることにより、通話が開始される。また、操作部２２のテンキーを操作する等のようなユーザ操作が行われることにより、ユーザからの発信による通話が開始される。通話が開始されると、制御部８は、音声復号部１５の出力信号（放送音声信号）を着信時および通話時以外の時よりも音量を小さくした状態で、ＣＯＤＥＣ部２０の出力信号（通話音声の信号）と音声復号部１５との出力信号を混合してヘッドセットジャック７に出力するように第２の混合回路１９を制御する。これにより、ユーザは、ヘッドセットを用いて地上波デジタル放送の音声を小音量で聴きながら通話を行うことができる。
【００７２】
操作部２２の通話終了ボタン等を操作する等のようなユーザ操作が行われることにより通話が終了すると、制御部８は、音声復号部１５の出力信号（放送音声信号）を元の音量（着信前の音量）でヘッドセットジャック７へ出力させるよう第２の混合回路１９を制御する。これにより、地上波デジタル放送音声が再度、元の音量でヘッドセットから出力される。
【００７３】
また、ユーザがヘッドホンジャック７ではなくスピーカ６を使用して地上波デジタル放送を視聴する場合、着信時および通話時以外は、第１の混合回路１８は、音声復号部１５の出力信号をスピーカ６に出力するよう制御部８により制御される。これにより、音声復号部１５からの地上波デジタル放送音声信号がスピーカ６に出力され、スピーカ６より地上波デジタル放送音声が出力される。
【００７４】
地上波デジタル放送を受信している状態で着信があると、制御部８は、音声復号部１５の出力信号（放送音声信号）を着信時および通話時以外の時よりも音量を小さくした上で、リンガー５の出力信号とを混合してスピーカ６に出力するよう第１の混合回路１８を制御する。これにより、着信音は、小音量の地上波デジタル放送の音声信号と混合されてスピーカ６に出力されスピーカ６で再生される。したがって、ユーザは、スピーカ６を用いて地上波デジタル放送の音声を小音量で聴きながら着信音を聞くことができる。
【００７５】
着信中に、操作部２２の通話ボタン等を操作する等のようなユーザ操作が行われることにより、通話が開始される。また、操作部２２のテンキーを操作する等のようなユーザ操作が行われることにより、ユーザからの発信による通話が開始される。通話が開始されると、制御部８は、音声復号部１５の出力信号（放送音声信号）を着信時および通話時以外の時よりも音量を小さくした状態で、ＣＯＤＥＣ部２０の出力信号（通話音声の信号）と音声復号部１５との出力信号を混合してスピーカ６に出力するように第１の混合回路１８を制御する。これにより、ユーザは、スピーカ６を用いて地上波デジタル放送の音声を小音量で聴きながら通話を行うことができる。
【００７６】
操作部２２の通話終了ボタン等を操作する等のようなユーザ操作が行われることにより通話が終了すると、制御部８は、音声復号部１５の出力信号（地上波デジタル放送の音声信号）を元の音量（着信前の音量）でスピーカ６に出力するよう第１の混合回路１８を制御する。これにより、地上波デジタル放送音声が再度、元の音量でヘッドセットから出力される。
【００７７】
以上説明したように、本実施形態によれば、ユーザがヘッドセットまたはスピーカ６を使用して地上波デジタル放送の音声を聴取している状態でも、着信があれば地上波デジタル放送の音声信号の音量を下げたうえでヘッドセットまたはスピーカ６に着信音を出すので、ユーザが着信を取りこぼすことがない。また、通話時に地上波デジタル放送の音声信号の音量を下げるので、地上波デジタル放送の音声が通話の邪魔になることを避けることができ、地上波デジタル放送の受信を停止することなくそのまま通話することができる。
【００７８】
また、第１の実施の形態と異なり、着信時および通話時にも地上波デジタル放送の音声が途切れないので、地上波デジタル放送を聴取しながら着信音を聞いたり通話したりすることが可能である。
【００７９】
以上のように、本実施形態の携帯電話は、地上波デジタル放送信号を受信するデジタル放送受信手段と、受信された地上波デジタル放送信号から取り出されたデジタル放送音声信号を出力する音声復号部１５と、着信時に着信音の信号を出力するリンガー５と、通話時には通話音声信号を出力するＣＯＤＥＣ部２０とを備える携帯電話機であって、着信時には着信音の信号とデジタル放送音声信号とを混合して出力し、通話時には通話音声信号とデジタル放送音声信号とを混合して出力する第１の混合回路１８および第２の混合回路１９と、着信時および通話時に、他の時よりもデジタル放送音声信号の音量が小さくなるようにデジタル放送音声信号を制御する制御部８とをさらに備える構成である。
【００８０】
上記構成によれば、地上波デジタル放送の受信中にユーザが着信音を聞き逃すことを防止すると共に、ユーザが地上波デジタル放送の音声に邪魔されることなく通話することができる。さらに、着信時および通話時にも地上波デジタル放送の音声が途切れないので、地上波デジタル放送を聴取しながら着信音を聞いたり通話したりすることができる。
【００８１】
また、以上のように、本実施形態の携帯電話は、地上波デジタル放送受信機能付携帯電話において、通話、デジタル放送受信音声、着信音を第２の混合回路１９により合成して出力するヘッドセットジャック７を備え、状況に応じて前記混合回路１９の混合比を制御する構成である。
【００８２】
また、以上のように、本実施形態の携帯電話は、地上波デジタル放送受信機能付携帯電話において、通話、デジタル放送受信音声、着信音を混合回路により合成して出力するスピーカを備え、状況に応じて前記混合回路の混合比を制御する構成である。
【００８３】
なお、上記説明では、着信時および通話時の両方に、デジタル放送受信音声の出力を音量を小さくしたうえで通話音声信号、着信音の信号と混合する処理を行っていたが、通話時のみ、デジタル放送受信音声の出力を音量を小さくしたうえで通話音声信号と混合する処理を行い、着信時には他の処理（例えば、デジタル放送受信音声の出力を停止する処理や、デジタル放送受信音声の出力をそのまま着信音の信号と混合する処理）を行ってもよい。この場合、地上波デジタル放送視聴中（地上波デジタル放送受信中）に、地上波デジタル放送の音声を聴取しながら、地上波デジタル放送の音声に邪魔されることなく、ハンドセットなどを用いて通話することができる。また、着信時のみ、デジタル放送受信音声の出力を音量を小さくしたうえで着信音の信号と混合する処理を行い、通話時には他の処理（例えば、デジタル放送受信音声の出力を停止する処理や、デジタル放送受信音声の出力をそのまま通話音声信号と混合する処理）を行ってもよい。この場合、地上波デジタル放送視聴中（地上波デジタル放送受信中）に、地上波デジタル放送の音声の聴取を中断することなく、着信音の確認が容易となる。それゆえ、特に、地上波デジタル放送視聴中（地上波デジタル放送受信中）におけるメール着信の確認が容易となる。
【００８４】
また、上記説明では、着信時および通話時にデジタル放送受信音声の出力と通話音声信号、着信音を混合する処理を行っていたが、常にこのような処理を行うのではなく、携帯電話の相手先（発信先）によって別の処理を行うようにしてもよい。
【００８５】
携帯電話の相手先（発信先）によって別の処理を行う形態について、以下に説明する。この場合、図２において、メモリ２７には、ユーザの電話帳データが記憶されており、電話帳データとして、複数の電話番号と、各電話番号毎に対応付けられた名称および着信時および通話時の処理が記憶されている。この着信時および通話時の処理として、各電話番号に対する第１の混合回路１８および第２の混合回路１９の制御の内容（設定情報）がメモリ２７に記憶されている。各電話番号に対する第１の混合回路１８および第２の混合回路１９の制御の内容（設定情報）は、操作部（設定手段）２２のテンキーや十字キー等を用いて予めユーザにより設定されることにより、メモリ２７に記憶されている。
【００８６】
スピーカ６に対する着信時および通話時の処理（第１の混合回路１８の制御の内容）としては、第１の実施形態で述べた（Ａ）（Ｂ）の処理に加えて、（Ｃ）本実施形態の混合処理、すなわち、着信時には地上波デジタル放送音声信号の音量を着信前（着信時および通話時以外）より小さくしたうえで着信音の信号と混合してスピーカ６に出力し、通話時には地上波デジタル放送音声信号の音量を着信前より小さくしたうえで通話音声の信号と混合してスピーカ６に出力する処理が挙げられる。したがって、例えば、ユーザは、操作部（設定手段）２２のテンキーや十字キー等を用いて、各電話番号毎に重要度に応じて上記３種類の処理のいずれかを予め選択しておく。
【００８７】
ヘッドセットジャック７に対する着信時および通話時の処理（第２のスイッチ１７の制御の内容）としては、第１の実施形態で述べた（１）〜（４）の処理に加えて、（５）本実施形態の混合処理、すなわち、着信時には地上波デジタル放送音声信号の音量を着信前（着信時および通話時以外）より小さくしたうえで着信音の信号と混合してヘッドセットジャック７に出力し、通話時には地上波デジタル放送音声信号の音量を着信前より小さくしたうえで通話音声の信号と混合してヘッドセットジャック７に出力する処理が挙げられる。したがって、例えば、ユーザは、操作部（設定手段）２２のテンキーや十字キー等を用いて、各電話番号毎に重要度に応じて上記５種類の処理のいずれかを予め選択しておく。
【００８８】
なお、ここでは、電話帳データ内の各電話番号に対して着信時および通話時の処理が設定されているものとしたが、一部の電話番号に対してのみ着信時および通話時の処理が設定されており、着信時および通話時の処理が設定されていない電話番号に対しては標準的な着信時および通話時の処理を行うようにしてもよい。
【００８９】
着信時には携帯電話通信の基地局側から発信者番号（発信先の電話番号）が通知されるので、この発信者番号を制御部８にてメモリ２７内の電話帳データと照合し、着信時の処理（設定情報）を探す。メモリ２７内の電話帳データから、その発信者番号に対応する着信時の処理が見つけ出されると、その発信者番号に対応する着信時の処理を行う。例えば、発信者番号に対応する着信時の処理として、前記（Ｃ）（５）の処理が見つかった場合、ヘッドセットジャック７にヘッドセットが接続されていれば、制御部８が（５）の処理を実行し、ヘッドセットジャック７にヘッドセットが接続されていなければ、制御部８が（Ｃ）の処理を実行する。
【００９０】
また、通話時には通話相手の電話番号を制御部８にてメモリ２７内の電話帳データと照合し、通話時の処理（設定情報）を探す。メモリ２７内の電話帳データから、その電話番号に対応する通話時の処理が見つけ出されると、その電話番号に対応する通話時の処理を行う。例えば、発信者番号に対応する通話時の処理として、前記（Ｃ）（５）の処理が見つかった場合、ヘッドセットジャック７にヘッドセットが接続されていれば、制御部８が（５）の処理を実行し、ヘッドセットジャック７にヘッドセットが接続されていなければ、制御部８が（Ｃ）の処理を実行する。
【００９１】
このようにして、制御部８が、メモリ２７に記憶された着信時の処理（第１の混合回路１８および第２の混合回路１９の制御の内容）に従って第１の混合回路１８および第２の混合回路１９の動作を選択する。例えば、相手に応じて地上波デジタル放送用音声と着信音のみをヘッドセットジャック７／スピーカ６から出力し、通話はハンドセット２１で行うといった制御や、まったく着信告知を行わないといった制御を行う。これにより、着信や通話の相手先の重要度に応じて、携帯電話機の制御を切り替えることが可能となる。すなわち、例えば、重要でない相手先の場合には、全く着信告知を受けないか、あるいは地上波デジタル放送の音声を小さい音量で聴取しながら着信音を聞いたり通話したりする一方、重要な相手先の場合には、地上波デジタル放送の音声を聴取せずに、着信告知を受けて通話するといった使い分けが可能である。
【００９２】
以上のように、前記携帯電話機において、メモリ２７に電話帳を備え、発信者番号を電話帳データに記述したデータと参照し、第１のスイッチ１６及び第２のスイッチ１７の制御を変えることにより、着信や通話の相手先の重要度に応じて、携帯電話機の制御を切り替えることが可能となる。
【００９３】
なお、実施の形態１・２では、ヘッドセットジャック７を備える構成について説明したが、ヘッドセットジャック７に代えてイヤホンジャックを備える構成であっても構わない。その場合、イヤホンをイヤホンジャックに接続しているときには、着信音はイヤホンから出力されるが、通話音声はハンドセット２１から出力される。そのような構成では、使用者は、イヤホンを両耳にしていれば、着信時に少なくとも一方のイヤホンを外してハンドセット２１を用いて通話することになる。また、ユーザは、イヤホンを片耳にしていれば、着信時に、イヤホンをつけたままで、あるいはイヤホンを外して、ハンドセット２１を用いて通話することになる。
【００９４】
以上の説明から明らかなように、本発明によれば、地上波デジタル放送の視聴中の着信を見逃さない、通話に移行しやすい地上波デジタル放送受信機能付携帯電話機を提供することができる。また、地上波デジタル放送を聴取しながら着信音を聞いたり通話したりすることが可能な地上波デジタル放送受信機能付携帯電話や、相手先に応じて着信時の動作を選択可能な地上波デジタル放送受信機能付携帯電話機を提供することも可能である。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９６】
本発明は、地上波デジタル放送等の放送を受信する放送受信機能付携帯電話機に適用でき、ユーザが着信音を聞いたり通話することが容易な使い勝手のよい放送受信機能付携帯電話機を提供できる。
【図面の簡単な説明】
【００９７】
【図１】本発明の第１の実施形態に係る放送受信機能付き携帯電話機の構成を示すブロック図である。
【図２】本発明の第２の実施形態に係る放送受信機能付き携帯電話機の構成を示すブロック図である。
【符号の説明】
【００９８】
１  アンテナ
２  ＲＦ部
３  変復調部
４  信号処理部
５  リンガー（音声出力手段）
６  スピーカ
７  ヘッドセットジャック
８  制御部（音声出力手段、第１の音量制御手段、第２の音量制御手段）
９  ＬＣＤ表示部
１０  アンテナ
１２  ＲＦ部
１３  復調部
１４  信号処理部
１５  音声復号部（音声出力手段）
１６  第１のスイッチ（音声出力手段）
１７  第２のスイッチ（音声出力手段）
１８  第１の混合回路（音声出力手段、第２の混合手段）
１９  第２の混合回路（音声出力手段、第１の混合手段、第２の混合手段）
２０  ＣＯＤＥＣ部（音声出力手段）
２１  ハンドセット
２２  操作部（設定手段）
２７  メモリ（記憶手段）
３１  携帯電話通信部
３２  地上波デジタル放送受信部（放送受信手段）
３３  共用部
【図１】
2005079922.tif 000003
【図２】
2005079922.tif 000004